【事件の表示】
　特願２００６−２８１４６４号「パチンコ遊技機の遊技盤」拒絶査定不服審判事件〔平成２０年４月２４日出願公開、特開２００８−９３３３８号〕について、次のとおり審決する。
【結　論】
　本件審判の請求は、成り立たない。
【理　由】
１　手続の経緯
　本願は、平成１８年１０月１６日の出願であって、平成２５年１月８日付けで拒絶査定がなされ（発送日：同年１月１５日）、これに対し、同年４月８日に拒絶査定不服審判の請求がなされ、その後、平成２６年４月３日付けで当審により拒絶の理由が通知され、同年６月５日に意見書及び手続補正書が提出されたものである。
　
２　本願発明
　本願の各請求項に係る発明は、平成２６年６月５日付け手続補正書により補正された特許請求の範囲に記載されたとおりのものであり、特に、請求項１に係る発明（以下「本願発明」という。）は次のとおりである。
　「遊技球の入賞によって遊技盤に配設された開閉体の開閉回数が異なる複数の特定入賞装置が遊技盤の前面に取り付けられたパチンコ遊技機の遊技盤において、遊技盤が遊技基盤の前面に化粧シートを結合した構造であり、
化粧シートが透明な表面パネルと、当該表面パネルの裏面に印刷された印刷層とを備え、
印刷層が遊技盤の前側から表面パネルを通して視認可能であり、互いに並んで配置された絵柄表示部及び情報表示部を備え、
情報表示部が特定入賞装置よりも遊技球の流下方向の上流側に離れかつ特定入賞装置の近傍に配置され、前記複数の特定入賞装置ごとの開閉体の開閉回数を表示することを特徴とするパチンコ遊技機の遊技盤。」
　
３　刊行物の記載
（１）当審における拒絶の理由に引用文献１として引用された特開平３−２４２１６５号公報（以下「刊行物１」という。）には、図面とともに以下の事項が記載されている（下線は審決で付した。以下同じ。）。
　（１−ａ）「産業上の利用分野］
　この発明は、始動入賞口に遊技球が入賞したときに、可動部材が内部の入賞空間中に遊技球を受け入れ易い状態に変換し、その変換時に入賞空間中の特別入賞口に遊技球が入賞すると、入賞空間中にさらに遊技球を受け入れ易い特別遊技態様に変換するパチンコ遊技機に関する。」（第１頁右下欄第８〜１４行）
　
　（１−ｂ）「［発明が解決しようとする課題］
　ところで、上記従来のパチンコ遊技機で特別遊技時に入賞空間中に流入した遊技球を一時的に貯留してから特別入賞口や一般入賞口方向に放出させて特別入賞口に入賞し易くして継続条件を成立し易くさせたものはあった。が、それは傾斜案内棚とは別個に設けられた貯留部材中に遊技球を一時的に貯留させる形式のものであって、それが出現した当初は斬新で興趣の高いものであったが、長い間親しまれてきた結果その斬新さが薄れて興趣に欠ける傾向となり、それを解決すべき課題があった。
　この発明は、上記課題を達成させるためになされたもので、変動入賞装置の入賞空間中に流入した遊技球を傾斜板自体の上に貯留させる今までにない構造のものにして遊技の興趣をより一層高めたパチンコ遊技機を提供することを目的とする。」（第２頁左上欄第１４行〜同右上欄第１０行）
　
　（１−ｃ）「［実施例］
　第１図は、この発明が適用された
パチンコ遊技機の遊技盤１
遊技盤１の前面に
　この遊技領域２の中央には、多くの賞球獲得のチャンスを与える役物として例示する
変動入賞装置１０が設置され
２回開き用始動入賞口４が
１回開き用始動入賞口５，５がそれぞれ設けられている
　また、変動入賞装置１０の左右位置には、風車と呼ばれる打球方向変換部材６と一般入賞装置７が設置されている。
　また、遊技領域２の下方側左右位置にはチューリップ式の一般入賞装置８が設置され、遊技領域２の適宜位置にはそれぞれ障害釘（図示省略）が植設されている。
　また、遊技領域２の左右位置にはサイドランプ３３０，３３０が設置されている。
　そして、前記変動入賞装置１０の外殻を構成する基枠２１０内はその前面側が開口した入賞空間２１となっており、その左右上部には打球流入口２２，２２が設けられている。これら打球流入口２２，２２には、該打球流入口２２，２２に流入した打球を入賞空間２１の奥側に案内するための案内部２３３，２３３を有する可動部材２３，２３が回動軸２３２，２３２を軸芯として回動可能に設置されている。これら
可動部材２３，２３が
始動入賞口４または５に打球が入賞することを条件に
２回
又は１回開く
　
　（１−ｄ）「そして、前記
２回開き用始動入賞口４
１回開き用始動入賞口５，５
　
　（１−ｅ）「また、入賞個数表示器３１２は「０」表示の状態にあり、サイクル数表示器（ＬＥＤ）３１３等はすべて消灯した状態にある。そして、図示省略の打球発射装置によって、遊技領域２内に打球が発射され、その打球が始動入賞口４または５中に入賞すると、それが始動入賞口４または５中に設置された始動入賞検出器４ａ、５ａ、５ｂに検出される。その検出信号に基づいて、
変動入賞装置１０の左右の可動部材２３，２３が
２回または１回回動され
　
　（１−ｆ）上記第（１−ｃ）〜（１−ｅ）の記載、第１図の図示内容から、２回開き用始動入賞口４または１回開き用始動入賞口５、５の前面に、それぞれの可動部材の開閉回数が表示されたことが図示されている。
　
　上記の事項を総合すると、刊行物１には、次の発明が記載されていると認められる（以下「刊行物発明」という。）。
　「打球が入賞することを条件に、遊技盤１の前面に設置された変動入賞装置１０の左右の可動部材２３，２３が２回開く２回開き用始動入賞口４と、１回開く１回開き用始動入賞口５，５とが、遊技盤１の前面にそれぞれ設けられたパチンコ遊技機の遊技盤１であって、
　２回開き用始動入賞口４または１回開き用始動入賞口５、５の前面に、それぞれの可動部材の開閉回数が表示されたパチンコ遊技機の遊技盤１。」
　
（２）当審における拒絶の理由に引用文献３として引用された、本願出願日前に頒布された刊行物である特開平８−１４１１５５号公報（以下「刊行物２」という。）には、図面とともに以下の事項が記載されている。
　
　（２−ａ）「【発明の詳細な説明】
【０００１】
【産業上の利用分野】この発明は、例えば「８＆１２」、「７＆１０＆１５」および「５＆１０＆１５」などのような賞球数を表す賞球数識別情報を、遊技板に貼り付けられたセル板に備えたパチンコ機に関する。
【０００２】
【従来の技術】パチンコ機では、例えば、賞球数識別情報「８＆１２」は機種名「大脱走」、賞球数識別情報「７＆１０＆１５」は機種名「弁慶パニック」、賞球数識別情報「５＆１０＆１５」は機種名「黄門ちゃま２」というように、賞球数識別情報は機種名と対になっている。換言するならば、賞球数識別情報が替われば、機種名も替わるのが一般的である。
【０００３】図４は従来のパチンコ機におけるゲージ盤を示す正面図であって、この図４に示すように、賞球数識別情報４０の印刷された賞球数シール４１はバンド飾り４２上の所定位置の上面に接着材にて貼り付けられている。図４中において、４３は完了飾り、４４はバンド、４５はアウト口を示す。」
　
　（２−ｂ）「【０００８】そこで、この発明は、例えばセル板の製造過程で賞球数識別情報をデザイン図および機種名とともに印刷するというように、セル板に賞球数識別情報を印しておくことによって、賞球数識別情報の貼り付け間違いが発生するのを阻止できるとともに部品を共通化し、在庫管理などを容易にすることができるパチンコ機を提供するものである。」
　
　（２−ｃ）「【００１１】
【実施例】以下、この発明の一実施例を図面とともに詳述する。図１は実施例のゲージ盤を示す正面図、図２は図１のＡ−Ａ線に沿う断面図、図３は実施例のゲージ盤を備えた
パチンコ機
【００１２】図２において、
ゲージ盤１ではセル板２を
遊技板３の表面に接着してある
セル板２は
透明な合成樹脂板４の裏面に
デザイン図や
賞球数識別情報７が所定の配置形態
および色にもとづき印刷にて描かれ
た印刷層８の裏面には白紙９を接着してある
印刷層８の色が鮮明に見える
【００１３】図１において、機種名６および賞球数識別情報７はセル板２の遊技可能状態での視認可能な領域に印され、特に、この実施例では、機種名６および賞球数識別情報７は、バンド１１で囲まれた内側の遊技領域Ａの上部において、バンド１１、遊技釘１２、画像表示装置１３、ランプ風車１４、風車１５、始動入賞口１６，１７、入賞口１８、開閉体１９を有する可変入賞球装置（アタッカー）２０、バンド飾り２１、完了飾り２２など各種の機能部品が配置されない、機能部品非配置領域に位置している。上記セル板２を含む遊技板３は、セル板２の上から遊技板３に各種の機能部品を取り付けるための図外の開口および各種の機能部品を取り付けるための釘やねじ釘など用の下穴ならびにアウト口２３を穴明け加工した後に、セル板２上に上記各種の機能部品を取り付けることによって、上記ゲージ盤１に構成される。このゲージ盤１においては、賞球数識別情報７がセル板２のバンド１１で囲まれた遊技領域Ａの上部における機能部品非配置領域に図外のデザイン図および機種名６とともに印刷されるので、原版やゲラ刷り段階において賞球数識別情報７が機種名６と整合し正確であることを確認することによって、その後における賞球数識別情報７の機種名６との組み合わせ間違いが発生するのを確実に阻止できる。」
　
　上記の事項から、刊行物２には「パチンコ機のゲージ盤１を、セル板２を遊技板３の表面に接着することにより構成し、
　セル板２を、透明な合成樹脂板４の裏面に印刷にて描かれた印刷層８と、印刷層８の裏面に接着された白紙９とから構成し、
　印刷層８の色が鮮明に見え、印刷層８には、デザイン図や賞球数識別情報７が所定の配置形態および色にもとづき印刷にて描かれたこと。」という事項が記載されている。
　
４　対比
　本願発明と刊行物発明とを対比する。
　ア　刊行物発明における「遊技盤１」、「変動入賞装置１０の左右の可動部材２３、２３」及び「２回開き用始動入賞口４と」「１回開き用始動入賞口５、５」は、それぞれ、本願発明における「遊技盤」、「開閉体」及び「複数の特定入賞装置」に相当する。
　
　イ　刊行物発明における「２回開き用始動入賞口４または１回開き用始動入賞口５、５の前面に、それぞれ、可動部材２３、２３の開閉回数が表示された」構成は、すなわち、「２回開き用始動入賞口４または１回開き用始動入賞口５、５が前面に、可動部材２３、２３の開閉回数を表示する情報表示部を有する」ことであるから、刊行物発明における該構成と、本願発明における「情報表示部が特定入賞装置よりも遊技球の流下方向の上流側に離れかつ特定入賞装置の近傍に配置され、前記複数の特定入賞装置ごとの開閉体の開閉回数を表示すること」とは、「情報表示部により、前記複数の特定入賞装置ごとの開閉体の開閉回数を表示すること」で共通する。
　
　ウ　したがって、本願発明と刊行物発明とは、
「遊技球の入賞によって遊技盤に配設された開閉体の開閉回数が異なる複数の特定入賞装置が遊技盤の前面に取り付けられたパチンコ遊技機の遊技盤において、
　情報表示部により、前記複数の特定入賞装置ごとの開閉体の開閉回数を表示したパチンコ遊技機の遊技盤。」
　の点で一致し、以下の点で相違する。
　
［相違点１］：「遊技盤」の構成が、
　本願発明では、遊技盤が遊技基盤の前面に化粧シートを結合した構造であり、化粧シートが透明な表面パネルと、当該表面パネルの裏面に印刷された印刷層とを備え、印刷層が遊技盤の前側から表面パネルを通して視認可能であり、互いに並んで配置された絵柄表示部及び情報表示部を備える構成であるのに対し、
　刊行物発明では、そのような構成を有しない点。
　
［相違点２］：複数の特定入賞装置ごとの開閉体の開閉回数を表示する「情報表示部」を配置する箇所が、
　本願発明では、情報表示部が特定入賞装置よりも遊技球の流下方向の上流側に離れかつ特定入賞装置の近傍の遊技盤であるのに対し、
　刊行物発明では、２回開き用始動入賞口４または１回開き用始動入賞口５、５の前面である点。
　
５　判断
　上記相違点につき検討する。
（１）相違点２について
　パチンコ遊技機の技術分野において、入賞装置に対応する情報表示部を配置するに際して、個々の情報表示部を対応する入賞装置よりも遊技球の流下方向の上流側に離れ、かつ、入賞装置の近傍の遊技盤に配置することは、本願出願前に周知の技術事項である（例えば、当審における拒絶の理由に引用文献４として引用された特開２００３−２４５４６号公報【０００６】、【００２７】〜【００３２】、【図４】〜【図６】に示された遊技手順情報５７を構成する矢印５６、同じく引用文献５として引用された特開２００５−２１３０５号公報【００８５】、【００９０】、【００９２】、【００９５】〜【００９６】、【０１００】、【図１９】〜【図２３】に示された賞球数に関する情報１９０１、１８０２、２１０１、２２０２、２２０４、２３０１を始動入賞口３Ｃの近傍に表示させることを参照。）。
　そして、刊行物発明は、個々の情報表示部を特定入賞装置に対応させて配置するものである。
　そうすると、刊行物発明において、特定入賞装置に対応する情報表示部を配置するに際して、上記周知の技術事項に倣って、情報表示部を特定入賞装置の前面に配置することに換えて、上記相違点２に係る本願発明の構成とすることは、当業者が適宜なし得たものである。
　
（２）相違点１について
　刊行物発明における情報表示部を遊技盤に配置する箇所については、上記（１）において検討したとおりである。
　そして、刊行物２に記載された事項における「ゲージ盤１」、「セル板２」、「遊技板３」、「透明な合成樹脂板４」、「印刷層８」、「印刷層８の色が鮮明に見え」ること、「デザイン図」が「印刷にて描かれた」もの、「賞球数識別情報７」が「印刷にて描かれた」もの、及び、「所定の配置形態および色にもとづき印刷にて描かれ」ることは、それぞれ、本願発明における「遊技盤」、「化粧シート」、「遊技基盤」、「透明な表面パネル」、「印刷層」、「印刷層が遊技盤の前側から表面パネルを通して視認可能」であること、「絵柄表示部」、「情報表示部」、及び、「互いに並んで配置され」ることに相当する。
　したがって、刊行物２に記載された事項は、上記相違点１に係る本願発明の発明特定事項に相当するものである。
　そして、刊行物発明と刊行物２に記載された事項とは、パチンコ遊技機の遊技盤という同一の技術分野に属するものであるから、刊行物発明の遊技盤１に刊行物２に記載されたゲージ盤１の構成を適用して、上記相違点１に係る本願発明の構成とすることは、当業者が容易になし得たものである。
　
（３）本願発明の効果について
　本願発明によってもたらされる効果を全体としてみても、当業者が刊行物発明及び刊行物２に記載された事項、及び、周知の事項から予測し得る範囲内のものであって、格別のものではない。
　
６　むすび
　以上の検討によれば、本願発明は、当業者が刊行物発明及び刊行物２に記載された事項、及び、周知の事項に基いて容易に発明をすることができたものであるから、特許法第２９条第２項の規定により特許を受けることができない。
　
　よって、結論のとおり審決する。